(57)【要約】 【課題】溶接ワイヤ送給ユニットに電源や気体を供給するケーブル及び各種ホースが、チェーンに絡み付いたりすることなく、溶接ワイヤ送給ユニットを昇降させることができる溶接機用吊下装置を提供する。【解決手段】工場基礎Ｂに設けたレール２上を走行する脚３と、脚３の駆動モータ４と、脚３の上部に固定した水平梁６と、溶接ワイヤ送給ユニットＷＵを水平梁６に沿って移動可能で且つ昇降可能に吊り下げる電動チェーンブロック７と、送給ユニットＷＵに電源を供給するケーブルＣと、送給ユニットＷＵに酸素などの気体を供給する各種ホースＨを備え、ケーブルＣ及び各種ホースＨを水平梁６，電動チェーンブロック７のチェーン７ａに沿って配設し、チェーン７ａに沿って摺動自在で且つ水平軸回りに回動自在な止め具１０でケーブルＣ及び各種ホースＨのチェーン７ａに沿う部分の複数箇所を互いに固定した。【選択図】図１
2007175724.tif 000002
【特許請求の範囲】
【請求項１】
溶接機の溶接ワイヤ送給ユニットを吊り下げる装置であって、基礎に設けたレール上を走行する脚と、この脚を駆動する脚駆動機構と、脚の上部に取り付けた水平梁と、上記溶接ワイヤ送給ユニットを水平梁に沿って移動可能で且つ昇降可能に吊り下げる溶接ワイヤ送給ユニット吊下手段と、溶接ワイヤ送給ユニットに電源を供給するケーブルと、溶接ワイヤ送給ユニットに酸素やエアなどの気体を供給する各種ホースを備え、ケーブル及び各種ホースを水平梁に沿って配設すると共に、溶接ワイヤ送給ユニット吊下手段の吊下げ索に沿って配設し、吊下げ索に沿って摺動自在で且つ水平軸回りに回動自在とした止め具でケーブル及び各種ホースの吊下げ索に沿う部分の少なくとも一箇所を互いに固定したことを特徴とする溶接機用吊下装置。
【請求項２】
止め具は、ケーブル及び各種ホースを互いに固定する止め具本体と、吊下げ索に摺動自在に嵌装した筒部と、この筒部に取り付けられて止め具本体を筒部と直交する軸回りに回動自在に支持する本体支持部を具備している請求項１に記載の溶接機用吊下装置。
【請求項３】
止め具の止め具本体及び本体支持部は、筒部の周りに対称配置してある請求項２に記載の溶接機用吊下装置。
【発明の詳細な説明】
【技術分野】
【０００１】
本発明は、半自動溶接時における溶接ワイヤ送給ユニットを移動させる際に利用される溶接機用吊下装置に関するものである。
【背景技術】
【０００２】
従来、上記した溶接機用吊下装置としては、例えば、水平方向に移動可能に設けたフレームと、このフレームに基端を水平方向に回動自在に支持させた回動梁と、この回動梁に沿って移動可能で且つ溶接ワイヤ送給ユニットを昇降可能に吊り下げるチェーンブロックと、溶接ワイヤ送給ユニットに電源を供給するケーブルと、溶接ワイヤ送給ユニットに酸素やエアなどの気体を供給する各種ホースを備えたものがあり、この溶接機用吊下装置を用いて半自動溶接を行う場合には、ケーブル及び各種ホースを回動梁に沿って配設すると共に、チェーンブロックに沿って配設して溶接作業を行うようにしていた。
【０００３】
【特許文献１】実願平０３−０３６４７０号
【発明の開示】
【発明が解決しようとする課題】
【０００４】
ところが、上記した従来の溶接機用吊下装置において、ケーブル及び各種ホースはいずれもコイルぐせがついていることから、チェーンブロックを操作して溶接ワイヤ送給ユニットの昇降を繰り返すうちに、これらのケーブル及び各種ホースが捩れてチェーンブロックに絡み付いたり、互いに絡み合ったりしてしまい、溶接作業に支障を来たすことがあるという問題を有しており、この問題を解決することが従来の課題となっていた。
【０００５】
本発明は、上記した従来の課題に着目してなされたものであり、溶接ワイヤ送給ユニットの昇降を繰り返し行ったとしても、溶接ワイヤ送給ユニットに電源や気体を供給するケーブル及び各種ホースが、吊下げ索、例えば、チェーンに絡み付いたり、互いに絡み合ったりすることがなく、その結果、溶接作業を円滑に行うことができる溶接機用吊下装置を提供することを目的としている。
【課題を解決するための手段】
【０００６】
本発明は、溶接機の溶接ワイヤ送給ユニットを吊り下げる装置であって、基礎に設けたレール上を走行する脚と、この脚を駆動する脚駆動機構と、脚の上部に取り付けた水平梁と、上記溶接ワイヤ送給ユニットを水平梁に沿って移動可能で且つ昇降可能に吊り下げる溶接ワイヤ送給ユニット吊下手段と、溶接ワイヤ送給ユニットに電源を供給するケーブルと、溶接ワイヤ送給ユニットに酸素やエアなどの気体を供給する各種ホースを備え、ケーブル及び各種ホースを水平梁に沿って配設すると共に、溶接ワイヤ送給ユニット吊下手段の吊下げ索に沿って配設し、吊下げ索に沿って摺動自在で且つ水平軸回りに回動自在とした止め具でケーブル及び各種ホースの吊下げ索に沿う部分の少なくとも一箇所を互いに固定した構成としたことを特徴としており、この溶接機用吊下装置の構成を前述した従来の課題を解決するための手段としている。
【０００７】
本発明の溶接機用吊下装置において、溶接作業を行わない場合には、溶接ワイヤ送給ユニットを上昇させて水平梁の近傍に位置させておくが、この際、ケーブル及び各種ホースは、これらを互いに固定する止め具の位置で比較的整った状態でコイルされる。
【０００８】
そして、この状態から溶接ワイヤ送給ユニットを下降させる場合、止め具の位置でコイル状態にあるケーブル及び各種ホースは、コイルぐせがあるが故に吊下げ索に絡み付いたり互いに絡み合おうとするが、止め具が吊下げ索に沿って摺動自在で且つ水平軸回りに回動自在としてあるので、ケーブル及び各種ホースがコイル状態からスムーズに伸びることとなる。
【０００９】
一方、溶接ワイヤ送給ユニットを上昇させる場合、伸びた状態にあるケーブル及び各種ホースは、これらを互いに固定する止め具の位置でまとまろうとするが、止め具が吊下げ索に沿って摺動自在で且つ水平軸回りに回動自在としてあるので、ケーブル及び各種ホースが円滑にコイルされることとなり、したがって、溶接ワイヤ送給ユニットの昇降が支障なくなされることとなる。
【発明の効果】
【００１０】
本発明の溶接機用吊下装置によれば、上記した構成としているので、溶接ワイヤ送給ユニットの昇降に際して、この溶接ワイヤ送給ユニットに電源や気体を供給するケーブル及び各種ホースが、吊下げ索に絡み付いたり、互いに絡み合ったりすることがなく、その結果、溶接作業を円滑に行うことが可能であるという非常に優れた効果がもたらされる。
【発明を実施するための最良の形態】
【００１１】
本発明の溶接機用吊下装置において、止め具は、ケーブル及び各種ホースを互いに固定する止め具本体と、吊下げ索に摺動自在に嵌装した筒部と、この筒部に取り付けられて止め具本体を筒部と直交する軸回りに回動自在に支持する本体支持部を具備している構成とすることができる。
【００１２】
この際、本発明の溶接機用吊下装置において、止め具の止め具本体及び本体支持部は、筒部の周りに対称配置してある構成とすることができる。
【００１３】
また、本発明の溶接機用吊下装置において、脚は片脚であってもよいし、両脚であってもよく、片脚とする場合には、脚が走行する基礎に設けたレールとは別に、例えば、工場柱間に上方レールを架設し、この上方レール上を水平梁の先端が走行するような構成を採用することができ、両脚とする場合には、一方の脚が走行するレールと平行して他方の脚が走行するレールを設ける構成を採用することができる。
【００１４】
さらに、本発明の溶接機用吊下装置において、水平梁は一組でもよいし、複数組設けてもよい。
【実施例】
【００１５】
以下、本発明を図面に基づいて説明する。
【００１６】
図１〜図７は、本発明の溶接機用吊下装置の一実施例を示している。図１〜図３に示すように、この溶接機用吊下装置１は、溶接機の溶接ワイヤ送給ユニットＷＵを吊り下げる装置であって、工場基礎Ｂに設けたレール２上を走行する脚３と、この脚３を駆動するモータ（脚駆動機構）４と、基端が脚３の上部に固定され且つ先端が工場柱Ｐ間に架設した上方レール５上を走行する水平梁６と、上記溶接ワイヤ送給ユニットＷＵを水平梁６に沿って移動可能で且つ昇降可能に吊り下げる電動チェーンブロック（溶接ワイヤ送給ユニット吊下手段）７と、溶接ワイヤ送給ユニットＷＵに電源を供給するケーブルＣと、溶接ワイヤ送給ユニットＷＵに酸素やエアなどの気体を供給する各種ホースＨと、上方レール５の下側に設けられてケーブルＣ及び各種ホースＨを水平梁６の移動に追従可能に保持するトロリレール８を備えている。
【００１７】
この場合、ケーブルＣ及び各種ホースＨは、水平梁６に沿って配設してあると共に、電動チェーンブロック７のチェーン（吊下げ索）７ａに沿って配設してあり、ケーブルＣ及び各種ホースＨのチェーン７ａに沿う部分の複数ヶ所には、相互に緊縛して固定する止め具１０が設けてある。
【００１８】
この止め具１０は、図４に示すように、ケーブルＣ及び各種ホースＨを互いに緊縛して固定する止め具本体１１と、止め具本体１１にケーブルＣ及び各種ホースＨと直交する方向に取り付けた軸１２と、チェーン７ａに摺動自在に嵌装した筒部１３と、この筒部１３に直交して取り付けられて軸１２を嵌合することで止め具本体１１を回動自在に支持する本体支持部１４を具備しており、この止め具１０の止め具本体１１及び本体支持部１４は、筒部１３の周りに対称に配置してある。
【００１９】
上記した溶接機用吊下装置１において、図５に示すように、溶接作業を行わない場合には、溶接ワイヤ送給ユニットＷＵを上昇させて水平梁６の近傍に位置させておくが、この際、ケーブルＣ及び各種ホースＨは、これらを互いに固定する止め具１０の位置で比較的整った状態でコイルされる。
【００２０】
そして、この状態から溶接ワイヤ送給ユニットＷＵを下降させる場合、止め具１０の位置でコイル状態にあるケーブルＣ及び各種ホースＨは、コイルぐせがある関係上、電動チェーンブロック７のチェーン７ａに絡み付いたり互いに絡み合おうとするが、図６に示すように、止め具１０の筒部１３がチェーン７ａに沿って摺動自在としてあり、そして、止め具１０の止め具本体１１が筒部１３と直交する本体支持部１４回りに回動自在としてあるので、ケーブルＣ及び各種ホースＨがコイル状態からスムーズに伸びることとなり、したがって、図７に示すように、溶接ワイヤ送給ユニットＷＵの下降が円滑になされることとなる。
【００２１】
一方、溶接ワイヤ送給ユニットＷＵを上昇させる場合、伸びた状態にあるケーブルＣ及び各種ホースＨは、これらを互いに固定する止め具１０の位置でまとまろうとするが、上述したように、止め具１０の筒部１３がチェーン７ａに沿って摺動自在としてあると共に止め具本体１１が筒部１３と直交する本体支持部１４回りに回動自在としてあるので、ケーブルＣ及び各種ホースＨが円滑にコイルされることとなり、したがって、溶接ワイヤ送給ユニットＷＵの上昇が支障なくなされることとなる。
【００２２】
つまり、上記した溶接機用吊下装置１では、溶接ワイヤ送給ユニットＷＵの昇降に際して、この溶接ワイヤ送給ユニットＷＵに電源や気体を供給するケーブルＣ及び各種ホースＨが、チェーン７ａに絡み付いたり、互いに絡み合ったりすることを回避できるので、溶接作業を円滑に行い得ることとなる。
【図面の簡単な説明】
【００２３】
【図１】本発明の溶接機用吊下装置の一実施例を示す正面説明図である。（実施例１）
【図２】図１の溶接機用吊下装置の側面説明図である。（実施例１）
【図３】図１の溶接機用吊下装置の平面説明図である。（実施例１）
【図４】図１の溶接機用吊下装置における止め具の正面説明図（ａ），側面説明図（ｂ）及び平面説明図（ｃ）である。（実施例１）
【図５】図１の溶接機用吊下装置における溶接ワイヤ送給ユニットを上昇させて水平梁の近傍に位置させた状態の拡大正面説明図である。（実施例１）
【図６】図１の溶接機用吊下装置における止め具の動作説明図である。（実施例１）
【図７】図１の溶接機用吊下装置における溶接ワイヤ送給ユニットを下降させて基礎上に位置させた状態の拡大正面説明図である。（実施例１）
【符号の説明】
【００２４】
１   溶接機用吊下装置
２   レール
３   脚
４   モータ（脚駆動機構）
６   水平梁
７   電動チェーンブロック（溶接ワイヤ送給ユニット吊下手段）
７ａ  チェーン（吊下げ索）
１０  止め具
１１  止め具本体
１３  筒部
１４  本体支持部
Ｂ   基礎
Ｃ   ケーブル
Ｈ   各種ホース
ＷＵ  溶接ワイヤ送給ユニット
【図１】
2007175724.tif 000003
【図２】
2007175724.tif 000004
【図３】
2007175724.tif 000005
【図４】
2007175724.tif 000006
【図５】
2007175724.tif 000007
【図６】
2007175724.tif 000008
【図７】
2007175724.tif 000009